(57)【特許請求の範囲】
【請求項１】
シートバック上面のヘッドレスト背面部位置に該背面部に沿ってモニター本体が設置されるモニター付き車両用シートであって、
前記ヘッドレストは、その下部に設けられた棒状の第１のステーをシートバックの上面部に形成された第１の差込口の内部に差し込むことによって該シートバックの上面部に設置されるようになっており、
前記モニター本体も、その下部に設けられた棒状の第２のステーをシートバックの上面部に形成された第２の差込口の内部に差し込むことによって該シートバックの上面部に設置されるようになっていることを特徴とするモニター付き車両用シート。
【請求項２】
請求項１に記載のモニター付き車両用シートであって、
前記各差込口には、前記各ステーに形成された係止溝と係止して各ステーの引抜方向への移動を規制する係止爪が設けられており、
該各係止爪は、常時は各差込口の口内に突出する状態に附勢されており、前記各ステーが各差込口の内部に差し込まれてくることにより、各ステーによって一旦押し退けられた後に各係止溝に弾性的に入り込んで係止するようになっており、
更に、シートバックの上面部には、押し込みの操作によって各係止爪を前記附勢に抗して押動し該各係止爪と各係止溝との係止状態を解除することのできる解除ボタンがそれぞれ設けられていることを特徴とするモニター付き車両用シート。
【請求項３】
請求項２に記載のモニター付き車両用シートであって、
前記各解除ボタンは、前記シートバック上面におけるヘッドレストの左右両側の位置に離間して配置されており、その押し込みの操作方向が対向方向となっていることを特徴とするモニター付き車両用シート。
【発明の詳細な説明】
【技術分野】
【０００１】
本発明は、モニター付き車両用シートに関する。詳しくは、シートバック上面のヘッドレスト背面部にモニター本体が設けられるモニター付き車両用シートに関する。
【背景技術】
【０００２】
従来、車両の座席用シートには、シートバック上面のヘッドレスト背面部にモニター等の電装品が組み付けられているものがある。例えば、下記特許文献１には、モニター本体をシートに組み付ける組付け構造に関する技術が開示されている。この開示では、モニター本体がシートバックの上面部にヒンジを介して固定されている。これにより、モニター本体は、ヘッドレストをシートから取り外した状態では、シートバックの上面部に倒し込んで折り畳めるようになっている。したがって、例えばシートを車内に搬入する際には、ヘッドレストを取り外してモニター本体を折り畳んでおくことにより、シートを車内に搬入し易いコンパクトな形態にすることができる。
【０００３】
【特許文献１】米国特許出願公開第２００４／０１６００９６号明細書
【発明の開示】
【発明が解決しようとする課題】
【０００４】
しかしながら、上記の開示技術では、シートの搬入時にモニター本体がコンパクトに折り畳まれるようにはなっているが、シートから取り外されるようにはなっていない。
すなわち、モニター本体がシートから取り外されるように構成すれば、シートをより搬入し易いコンパクトな形態にすることができる。しかし、この場合には、シートを車内に搬入した後に、再び、モニター本体をシートに取り付ける作業が必要となる。かかる取付作業は、車内の限られたスペースで行わなければならず、取り付けに工具を要する場合には、作業性が悪く手間のかかるものとなる。
したがって、モニター本体をシートに容易に取り付けることのできる構成を低コストで実現できれば好ましい。
【０００５】
本発明は、上記した問題を解決するものとして創案されたものであって、本発明が解決しようとする課題は、モニター本体をシートに容易に取り付けることのできる構成を低コストで実現することにある。
【課題を解決するための手段】
【０００６】
上記課題を解決するために、本発明のモニター付き車両用シートは次の手段をとる。
先ず、第１の発明は、シートバック上面のヘッドレスト背面部位置に背面部に沿ってモニター本体が設置されるモニター付き車両用シートであって、ヘッドレストは、その下部に設けられた棒状の第１のステーをシートバックの上面部に形成された第１の差込口の内部に差し込むことによってシートバックの上面部に設置されるようになっており、モニター本体も、その下部に設けられた棒状の第２のステーをシートバックの上面部に形成された第２の差込口の内部に差し込むことによってシートバックの上面部に設置されるようになっていることを特徴とする。
この第１の発明によれば、モニター本体のシートバックへの取り付けは、ヘッドレストの取り付けの場合と同様に、ステーの差し込みによって行える。したがって、かかる取付作業が、工具を用いることなくワンタッチで行える。また、モニター本体の支持強度は、ヘッドレストを支持する場合と同様に、ステーの支持構造によって担保される。
【０００７】
次に、第２の発明は、上述した第１の発明において、各差込口には、各ステーに形成された係止溝と係止して各ステーの引抜方向への移動を規制する係止爪が設けられており、各係止爪は、常時は各差込口の口内に突出する状態に附勢されており、各ステーが各差込口の内部に差し込まれてくることにより、各ステーによって一旦押し退けられた後に各係止溝に弾性的に入り込んで係止するようになっており、更に、シートバックの上面部には、押し込みの操作によって各係止爪を附勢に抗して押動し各係止爪と各係止溝との係止状態を解除することのできる解除ボタンがそれぞれ設けられていることを特徴とする。
この第２の発明によれば、各ステーは、各差込口の内部に差し込まれることにより、その引抜方向への移動が規制される。これにより、ヘッドレストやモニター本体が、シートバックの上面部に設置されて外れないようになる。そして、この設置状態において、解除ボタンの押込操作を行うと、各ステーの移動規制状態が解除される。これにより、ヘッドレストやモニター本体がシートバックから取り外せるようになる。
【０００８】
次に、第３の発明は、上述した第２の発明において、各解除ボタンは、シートバック上面におけるヘッドレストの左右両側の位置に離間して配置されており、その押し込みの操作方向が対向方向となっていることを特徴とする。
この第３の発明によれば、ヘッドレストの左右両側の位置に配置された各解除ボタンを挟み込むようにして押込操作を行うことにより、ヘッドレスト及びモニター本体がシートバックから取り外し可能な状態となる。そして、そのまま、ヘッドレストとモニター本体とを一緒に持ち上げていくことにより、これらがシートバックから一度に取り外される。
【発明の効果】
【０００９】
本発明は上述した手段をとることにより、次の効果を得ることができる。
先ず、第１の発明によれば、モニター本体の取付構造にヘッドレストの取付構造を流用したことにより、既存技術を用いるなどして、モニター本体をシートに容易に取り付けることのできる構成を低コストで実現することができる。
更に、第２の発明によれば、ヘッドレストやモニター本体がシートから容易に取り外せるようになるため、シートアレンジが行い易くなる。
更に、第３の発明によれば、各解除ボタンを両手で挟み込むようにしてヘッドレストとモニター本体とを一緒に持ち上げていくことができるため、これらをシートバックから簡単に取り外すことができる。
【発明を実施するための最良の形態】
【００１０】
以下に、本発明を実施するための最良の形態の実施例について、図面を用いて説明する。
【実施例１】
【００１１】
始めに、実施例１のモニター付き車両用シートの構成について、図１〜図８を用いて説明する。図１はモニター付き車両用シートの概略構造を表した斜視図である。図２はヘッドレスト２０及びモニター本体３１の取付構造の分解斜視図である。図３はヘッドレスト２０の設置状態を表した斜視図である。図４はモニター本体３１の設置状態を表した斜視図である。図５はヘッドレスト２０の前後位置を変えた状態を表した側面視断面図である。図６はヘッドレスト２０の高さ位置を上げた状態を表した側面視断面図である。図７はステー２２の差込構造を表した側面視断面図である。図８はステー２２の差込状態を表した側面視断面図である。
なお、以下の説明で、ヘッドレスト２０やモニター本体３１等の構造部材に対して「表面」という場合には、その組付け構造物において外側を向く面を意図している。また、「背面」という場合には、「表面」と反対側の面を意図している。更に、「前面」という場合には座席用シート１の設置向きに対して前方を向く面、「後面」という場合には「前面」の反対側の面をそれぞれ意図している。
【００１２】
本実施例の座席用シート１は、図１に良く示されるように、背もたれ部となるシートバック１０の上面部にモニター本体３１が設置されている。このモニター本体３１は、同じくシートバック１０の上面部に設置されるヘッドレスト２０の背面部位置に配置されている。詳しくは、モニター本体３１は、その表示画面３１ａを後側に配置された座席用シート（図示省略）に向けて配置されている。
ここで、図２には、ヘッドレスト２０やモニター本体３１の取付構造が分解斜視図で表されている。また、図３には、ヘッドレスト２０の単体での設置状態が表されている。また、図４には、モニター本体３１の設置状態が表されている。これらの図に表されているように、ヘッドレスト２０やモニター本体３１は、シートバック１０の骨格を成すバックフレーム１１に対して取り付けられている。
以下、ヘッドレスト２０及びモニター本体３１の取付構造について、詳細に説明する。
【００１３】
先ず、ヘッドレスト２０及びその取付構造について説明する。
すなわち、ヘッドレスト２０は、図２に良く示されるように、頭受部２１と、ステー２２，２３と、支持器具２４と、取付器具２５と、後部カバー２６と、を有する。ここで、ステー２２が本発明の第１のステーに相当する。
詳しくは、頭受部２１は、その前面部分に緩衝構造を備えており、乗員の後頭部を受け止めてこれを支持するようになっている。また、図３に示されるように、頭受部２１は、その背面部分が下方まで刳り貫かれた形状となっており、この刳貫部分が嵌込凹部２１ａとして形成されている。そして、頭受部２１には、嵌込凹部２１ａの左右両側を覆うようにして、側面部２１ｂがそれぞれ形成されている。
次いで、ステー２２，２３は、図２に示されるように、それらの上端部分が支持器具２４に連結されている。これにより、ステー２２，２３及び支持器具２４は、全体が門形状の一体型の部品として組み付けられている。これらステー２２，２３は、支持器具２４が頭受部２１の背面部分に取り付けられることにより、２本の棒状部材を頭受部２１から垂下させた状態として組み付けられる。こうして組み付けられたステー２２，２３は、ヘッドレスト２０の取付用の脚部として成る。すなわち、ステー２２，２３は、図３に示されるように、バックフレーム１１の上面部に設置された２個のサポート４０，５０の内部に差し込まれることにより、ヘッドレスト２０をシートバック１０に連結する。この連結により、ヘッドレスト２０をシートバック１０の上面部に設置した状態として保持することができる。なお、ステー２２，２３とサポート４０，５０との連結構造については後述する。
【００１４】
ここで、図２に戻り、上記した支持器具２４は、取付器具２５を介して頭受部２１に取り付けられている。この取付器具２５は、支持器具２４のヒンジ部２４ａにおいてこれに軸回動可能に連結されている。そして、取付器具２５は、図５に示されるように、頭受部２１の背面部分に一体に取り付けられている。これにより、頭受部２１は、ヒンジ部２４ａを中心として、頭受面（前面）をステー２２，２３に対して前後方向に首振り運動させられるようになる。ここで、頭受部２１の首振り運動は、常に、頭受部２１の側面部２１ｂが後述する前部カバー３６の側面と面を重ね合わせた状態で行われるようになっている。これにより、ヘッドレスト２０が首振り運動しても、ステー２２，２３と頭受部２１との取付構造部分がヘッドレスト２０とモニター本体３１との間の隙間から見えないように覆われている。
次いで、後部カバー２６は、図３に示されるように、頭受部２１の背面部分に取り付けられている。この後部カバー２６は、合成樹脂製であり、前述したステー２２，２３と頭受部２１との取付構造部分を後面側から覆うようにして配置されている。詳しくは、後部カバー２６は、頭受部２１の背面部分の上端から垂下方向に延びる板形状となっている。これにより、後部カバー２６は、図６に示されるように、ヘッドレスト２０が持ち上げられた状態時にも、ステー２２，２３と頭受部２１との取付構造部分がモニター本体３１の上側に空いた隙間ｔｂから見えないように後面側から覆い隠している。
【００１５】
次に、ヘッドレスト２０のステー２２，２３とサポート４０，５０との連結構造について説明する。
すなわち、先ず、図２に良く示されるように、ステー２２，２３は、その差込方向の先端となる下端部が先細状に形成されている。これにより、ステー２２，２３をサポート４０，５０の差込口４１，５１にそれぞれ差し込む際に、先細面が案内面となり、ステー２２，２３が差し込み易くなっている。また、一方側のステー２２には、他方側のステー２３の方を向く側面に、長さ方向に沿って複数の調整溝２２ａ及び係止溝２２ｂが形成されている。詳しくは、係止溝２２ｂは、最も下側の位置に形成された調整溝２２ａの下側の位置に形成されている。また、各サポート４０，５０は、バックフレーム１１の上部前側の２箇所に固定された筒状の固定器具１１ａにそれぞれ差し込まれて固定されている。
ここで、図７には、ステー２２及びサポート４０の構成が詳しく表されている。同図に示されるように、サポート４０の差込口４１には、ステー２２と係止してその移動を食い止めることのできる係止爪４２が設けられている。この係止爪４２は、常時は差込口４１の口内に突出する状態に附勢されて保持されている。また、係止爪４２には操作ツマミ４３が一体に設けられている。この操作ツマミ４３は、紙面内左方向に押し込む操作を行うことにより、係止爪４２を上記の附勢に抗して移動させることができる。そして、この操作ツマミ４３による移動により、係止爪４２を、一時的に口外に引込めておくことができる（仮想線状態）。
【００１６】
したがって、操作ツマミ４３を押込操作した状態でステー２２を差し込んでいき、ステー２２の下端部が係止爪４２を通過した後に操作ツマミ４３の操作を止めることにより、係止爪４２をステー２２の外周面と当接させて押し退けた状態とすることができる。なお、係止爪４２を、差し込まれてくるステー２２の先細面によって直接押し退けられるように構成してもよい。
そして、ステー２２を更に差込口４１の内部、すなわち差込方向Ｓへと差し込んでいくと、そのうちに係止爪４２と係止溝２２ｂとの高さ位置が合致する。これにより、係止爪４２は、その弾性復元力によって係止溝２２ｂに入り込み、これに係止する（図８参照）。ここで、係止溝２２ｂ及び係止爪４２の断面形状は、図７において詳しく表されている。すなわち、係止溝２２ｂの断面形状は、その開口面を成す上下の面がステー２２の径方向に向いて真っ直ぐに立ち上がったコ字形状となっている。また、係止爪４２の断面形状は、係止溝２２ｂのコ字形状に合致する突形状となっている。したがって、図８に示されるように、上記断面形状を成す係止溝２２ｂと係止爪４２とが係止することにより、ステー２２は、その差込方向Ｓ及び引抜方向Ｈへの移動が規制された状態となる。
そして、上記の係止状態から、操作ツマミ４３を押込操作することにより、係止爪４２と係止溝２２ｂとの係止状態が解除される。これにより、ステー２２を更に差込口４１の内部へと差し込むことができる。したがって、ステー２２を差込口４１の内部へと差し込んでいくと、そのうちに係止爪４２と調整溝２２ａとの高さ位置が合致する。これにより、係止爪４２は、その弾性復元力によって調整溝２２ａに入り込み、これに係止する（図示省略）。ここで、調整溝２２ａの断面形状は、図７において詳しく表されている。すなわち、調整溝２２ａの断面形状は、その開口面を成す上側の面がステー２２の径方向に向いて真っ直ぐに立ち上がった形状となっている。そして、開口面を成す下側の面は、ステー２２の外周面に向けて緩やかに立ち上がる傾斜面として形成されている。したがって、上記断面形状を成す調整溝２２ａと係止爪４２とが係止することにより、ステー２２は、その差込方向Ｓへの移動は規制されるが、引抜方向Ｈへの移動は許容された状態となる。
そして、上記の係止状態から、操作ツマミ４３を押込操作してステー２２を更に差し込んでいくことにより、係止爪４２を各調整溝２２ａと順次係止させていくことができる。このようにして、ステー２２の差込量を調整して、ヘッドレスト２０の設置高さ位置の調整を行うことができる。なお、係止爪４２と調整溝２２ａとが係止した状態では、ヘッドレスト２０をそのまま引抜方向Ｈに持ち上げるように操作すれば、ステー２２を差込口４１から引き出していくことができる。しかし、ステー２２を引き出していき、係止爪４２と係止溝２２ｂとが係止すると、ステー２２の引き出し移動は規制される。すなわち、この係止構造により、ヘッドレスト２０が何らかの拍子に引抜方向Ｈに持ち上げられても、シートバック１０への設置状態が維持されるようになっている。
【００１７】
次に、モニター本体３１及びその取付構造について説明する。
すなわち、モニター本体３１の取付構造は、図２に良く示されるように、モニターカバー３２と、取付器具３３と、ステー３４，３５と、前部カバー３６と、から成る。ここで、ステー３４が本発明の第２のステーに相当する。
詳しくは、モニターカバー３２は、合成樹脂製であり、板材がＬ字状に折り曲げられたような形状となっている。そして、モニターカバー３２の起立面側には、モニター本体３１を嵌め込める大きさの嵌込口３２ａが形成されている。このモニターカバー３２は、図１に示されるように、モニター本体３１の表示画面３１ａを嵌込口３２ａから露出させた状態として、その外枠を覆った状態に組み付けられる。
次いで、取付器具３３は、図２に示されるように、モニター本体３１の背面３１ｂ（前面）に当て交われてこれと一体に取り付けられる。この取付器具３３の背面３３ａには、ステー３４，３５が取り付けられている。
【００１８】
次いで、ステー３４，３５は、それらの上端部分が取付器具３３に軸支されていて相互に連結されている。これらステー３４，３５は、取付器具３３がモニター本体３１に取り付けられることにより、２本の棒状部材をモニター本体３１から垂下させた状態として組み付けられる。こうして組み付けられたステー３４，３５は、モニター本体３１の取付用の脚部として成る。すなわち、ステー３４，３５は、図４に示されるように、バックフレーム１１の上面部に設置された２個のサポート６０，７０の内部に差し込まれることにより、モニター本体３１をシートバック１０に連結する。この連結により、モニター本体３１をシートバック１０の上面部に設置した状態として保持することができる。なお、ステー３４，３５とサポート６０，７０との連結構造については後述する。
次いで、前部カバー３６は、図２に示されるように、モニター本体３１の背面３１ｂ（前面）側に取り付けられている。この前部カバー３６は、合成樹脂製であり、図４に示されるように、モニターカバー３２に嵌め込まれてこれと一体に組み付けられるようになっている。ここで、前部カバー３６には、前述したステー３４，３５とモニター本体３１との取付構造部分を前面側から覆う覆い部３６ａが形成されている。この覆い部３６ａは、図６に示されるように、前部カバー３６の下部から上方に向けて曲面状に立ち上がる形状となっている。これにより、覆い部３６ａは、ヘッドレスト２０が持ち上げられた状態時にも、ステー３４，３５とモニター本体３１との取付構造部分がヘッドレスト２０の下側に空いた隙間ｔｆから見えないように前面側から覆い隠している。
【００１９】
また、図２に示されるように、前部カバー３６には、その前側寄りの左右２箇所の位置に、上下方向に貫通した貫通孔３６ｂが形成されている。この貫通孔３６ｂは、ヘッドレスト２０をシートバック１０に設置する際に、ヘッドレスト２０の各ステー２２，２３を上方側から差し通せるようになっている。したがって、ステー２２，２３をこれら貫通孔３６ｂに差し通してからサポート４０，５０に差し込むことにより、図１に示されるように、前部カバー３６を台座のようにして、その上側にヘッドレスト２０を設置することができる。そして、このようにヘッドレスト２０を設置することにより、モニター本体３１を、ヘッドレスト２０の背面部分に形成された嵌込凹部２１ａ（詳しくは図３参照）に下方からスライドさせて嵌め込むことができる。これにより、ヘッドレスト２０とモニター本体３１とを一体感のあるコンパクトな形態に組み付けることができる。また、上記構成としたことにより、モニター本体３１を、ヘッドレスト２０の上下方向への移動には追従しない別個独立した構成とすることができる。したがって、モニター本体３１の配線を、例えばステー２２やステー２３の内部に経由させて動きを追従させる必要がなく、シートバック１０の内部への配線を簡単化することができる。
【００２０】
次に、図２に戻って、モニター本体３１に取り付けられたステー３４，３５とサポート６０，７０との連結構造について説明する。ここで、ステー３４，３５とサポート６０，７０との連結構造は、前述したヘッドレスト２０のステー２２，２３とサポート４０，５０との連結構造と実質的にはほぼ同様の構成となっている。
すなわち、ステー３４，３５は、その差込方向の先端となる下端部が先細状に形成されている。また、一方側のステー３４には、他方側のステー３５の方を向く側面に、係止溝３４ａが形成されている。また、各サポート６０，７０は、バックフレーム１１の上部後側の２箇所に固定された筒状の固定器具１１ｂにそれぞれ差し込まれて固定されている。
なお、サポート６０の差込口６１には、前述したサポート４０の構成（図７参照）と同じように、係止爪６２と操作ツマミ６３とが設けられている。
したがって、ステー３４をサポート６０の差込口６１の内部に差し込んでいき、係止爪６２と係止溝３４ａとを係止させることにより、ステー３４の差込方向Ｓ及び引抜方向Ｈへの移動を規制することができる。そして、この係止構造により、モニター本体３１が何らかの拍子に引抜方向Ｈに持ち上げられても、シートバック１０への設置状態が維持されるようになっている。
【００２１】
ここで、図２に示されるように、前述した前部カバー３６には、その左右両側部の下方位置に解除ボタン３６ｃ，３６ｄがそれぞれ形成されている。これら解除ボタン３６ｃ，３６ｄは、図４を参照して分かるように、前部カバー３６がモニター本体３１に組み付けられてシートバック１０に設置された状態では、サポート４０，６０の操作ツマミ４３，６３の外側の位置にそれぞれ配置される。なお、図４では、上記の構成を分かり易く表すために、ステー３４，３５をサポート６０，７０の途中位置まで差し込んだ状態として前部カバー３６を本来の設置状態よりも浮上させた状態としている。したがって、ステー３４，３５を図４の状態よりも更に差し込んでいくことにより、各解除ボタン３６ｃ，３６ｄが各操作ツマミ４３，６３の直ぐ外側の位置に配置されるようになる。
上記の解除ボタン３６ｃ，３６ｄは、その押し込みの操作によってそれぞれ操作ツマミ４３，６３の押込操作が行えるようになっている。すなわち、各操作ツマミ４３，６３の押込操作を、前部カバー３６の左右両側の外側の位置から行えるようになっている。ここで、解除ボタン３６ｃ，３６ｄは、その押し込みの操作方向が対向方向となっている。したがって、図１に示されるように、シートバック１０の上面部に設置されたヘッドレスト２０やモニター本体３１を取り外す場合には、その左右両側の位置に配置された各解除ボタン３６ｃ，３６ｄを挟み込むようにして押込操作を行うことにより、これらを簡単に取り外せるようになる。
【００２２】
続いて、本実施例の使用方法について説明する。
先ず、図２を参照し、モニター本体３１に取付器具３３を取り付けてステー３４，３５を組み付ける。そして、ステー３４，３５をバックフレーム１１のサポート６０，７０に差し込む。これにより、モニター本体３１がシートバック１０の上面部に設置される。次に、モニター本体３１の後方側からモニターカバー３２を組み付け、更に前方側から前部カバー３６を組み付ける。これにより、図４に示されるように、モニター本体３１側の各組付部材が組み付けられる。
次に、図２に戻り、ヘッドレスト２０に組み付けられたステー２２，２３をバックフレーム１１のサポート４０，５０に差し込む。このとき、ステー２２，２３を、前部カバー３６の貫通孔３６ｂに差し通してから各サポート４０，５０に差し込む。これにより、図１に示されるように、ヘッドレスト２０とモニター本体３１とが一体感のあるコンパクトな形態に組み付けられる。
そして、ヘッドレスト２０やモニター本体３１をシートバック１０から取り外す場合には、その左右両側の位置に配置された解除ボタン３６ｃ，３６ｄの押込操作を行う。詳しくは、各解除ボタン３６ｃ，３６ｄを両手で挟み込むようにして押込操作を行う。そして、そのままヘッドレスト２０とモニター本体３１とを一緒に持ち上げていくことにより、これらをシートバック１０から簡単に取り外すことができる。
【００２３】
このように、本実施例のモニター付き車両用シートによれば、モニター本体３１の取付構造にヘッドレスト２０の取付構造を流用したことにより、既存技術を用いて、モニター本体３１をシート１に容易に取り付けることのできる構成を低コストで実現することができる。
更に、ステー２２，２３及びステー３４，３５の差込構造によって、ヘッドレスト２０やモニター本体３１がシート１から容易に取り外せるようになっているため、シートアレンジが行い易くなる。
更に、前部カバー３６に形成された解除ボタン３６ｃ，３６ｄによって、ヘッドレスト２０やモニター本体３１の取り外しを一層容易に行うことができる。
更に、バックフレームを利用して、ヘッドレスト２０の取付用のステー２２，２３を差し込むための差込口４１，５１と、モニター本体３１の取付用のステー３４，３５を差し込むための差込口６１，７１とを、互いに接近させた好適な位置に設定することができる。
【００２４】
以上、本発明の実施形態を１つの実施例により説明したが、本発明は上記実施例のほか各種の形態で実施ができるものである。
例えば、解除ボタンは、必ずしも前部カバーに形成されていなくてもよく、モニターカバー等の他の構成部材に形成されていてもよい。また、解除ボタンを設定せず、単に操作ツマミに指が届くようにする孔を形成するだけであってもよい。
【図面の簡単な説明】
【００２５】
【図１】モニター付き車両用シートの概略構造を表した斜視図である。
【図２】ヘッドレスト及びモニター本体の取付構造の分解斜視図である。
【図３】ヘッドレストの設置状態を表した斜視図である。
【図４】モニター本体の設置状態を表した斜視図である。
【図５】ヘッドレストの前後位置を変えた状態を表した側面視断面図である。
【図６】ヘッドレストの高さ位置を上げた状態を表した側面視断面図である。
【図７】ステーの差込構造を表した側面視断面図である。
【図８】ステーの差込状態を表した側面視断面図である。
【符号の説明】
【００２６】
１      シート
１０    シートバック
１１    バックフレーム
１１ａ  固定器具
１１ｂ  固定器具
２０    ヘッドレスト
２１    頭受部
２１ａ  嵌込凹部
２１ｂ  側面部
２２    ステー（第１のステー）
２２ａ  調整溝
２２ｂ  係止溝
２３    ステー
２４    支持器具
２４ａ  ヒンジ部
２５    取付器具
２６    後部カバー
３１    モニター本体
３１ａ  表示画面
３１ｂ  背面
３２    モニターカバー
３２ａ  嵌込口
３３    取付器具
３３ａ  背面
３４    ステー（第２のステー）
３４ａ  係止溝
３５    ステー
３６    前部カバー
３６ａ  覆い部
３６ｂ  貫通孔
３６ｃ  解除ボタン
３６ｄ  解除ボタン
４０    サポート
４１    差込口
４２    係止爪
４３    操作ツマミ
５０    サポート
５１    差込口
６０    サポート
６１    差込口
６２    係止爪
６３    操作ツマミ
７０    サポート
７１    差込口
Ｓ      差込方向
Ｈ      引抜方向
ｔｂ    隙間
ｔｆ    隙間
【図１】
0004622895.tif 000002
【図２】
0004622895.tif 000003
【図３】
0004622895.tif 000004
【図４】
0004622895.tif 000005
【図５】
0004622895.tif 000006
【図６】
0004622895.tif 000007
【図７】
0004622895.tif 000008
【図８】
0004622895.tif 000009